(57)【要約】      （修正有）【課題】庖丁などの被研磨物が両刃形態のものでもその刃面の両側面を同時に研磨でき、また被研磨物のみならず、各種の台所用品、日用品等が汚損した場合に研磨するにも使用でき、更には洗剤を使用しての洗浄作業にも使用可能な洗浄研磨具を提供する。【解決手段】板状を呈する軟弾性発泡樹脂材製の一対の洗浄具体１と、研磨材を付着してあって、側縁部それぞれに洗浄具体１それぞれを連結させる可撓性あるシート状の研磨体５とから成る。研磨体５は、適宜肉厚の耐水性あるシート状で、その少なくとも一側面には細粒状の研磨材を塗布、付着して成る。また、研磨体５にて二つ折り状にすることで末広がり状の開放状態とした洗浄具体１を、載置面上で支持する支持台１０と共に使用可能にして構成し、支持台１０は、ベース体１１と、上方に至るに伴い次第に広がり状となってベース体１１上に固定した二股状のセット支持体１３とを備える。【選択図】図４
0003179052.tif 000002
【実用新案登録請求の範囲】
【請求項１】
適宜肉厚の板状を呈する軟弾性発泡樹脂材製の一対の洗浄具体と、研磨材が付着されていて、側縁部それぞれに前記洗浄具体それぞれが連結されている可撓性あるシート状の研磨体とから成ることを特徴とする洗浄研磨具。
【請求項２】
洗浄具体はネット材にて覆ってある請求項１に記載の洗浄研磨具。
【請求項３】
研磨体は、適宜肉厚の耐水性あるシート状で、その少なくとも一側面には細粒状の研磨材が塗布、付着されて成る請求項１または２に記載の洗浄研磨具。
【請求項４】
研磨体にて二つ折り状にすることで末広がり状の開放状態とした洗浄具体を、載置面上で支持する支持台と共に使用可能にしてある請求項１乃至３のいずれかに記載の洗浄研磨具。
【請求項５】
支持台は、載置面上に載置可能で、滑動が防止されているベース体と、対状の洗浄具体を末広がりの開放状態にして支持するよう、上方に至るに伴い次第に広がり状となってベース体上に固定されている二股状のセット支持体とを備えて成る請求項４に記載の洗浄研磨具。
【考案の詳細な説明】
【技術分野】
【０００１】
この考案は、例えば庖丁その他の被研磨物の刃先等を安全にしかも簡単に研磨でき、また台所その他における種々な物品などをも簡単に研磨できるばかりでなく、それらを簡単に洗浄もできるようにした洗浄研磨具に関する。
【背景技術】
【０００２】
従来から、庖丁などの刃先を研磨するのに例えば特許文献１に係る刃先研ぎ装置、特許文献２に係る刃物研ぎ具等が提案されている。特許文献１の研ぎ装置は、回転する円形回転板に弾性パッドを介して円形の砥石取付部を取り付けて成り、砥石取付部の砥盤面を例えば刃物の刃先に押し当てて研磨するとき、刃先研磨面から多少の角度でずれていても、円形回転板を刃先研磨面に倣うことができて、鋭利刃先が容易に得られるとする。特許文献２の研ぎ具は、比較的に肉厚なシート状のスポンジ材の表面にやすりシートを一体貼付して成り、刃面をやすりシートに押し当て沈み込ませて往復摺動することで、刃面を研ぐことができるとする。
【先行技術文献】
【特許文献】
【０００３】
【特許文献１】特開２００４−１３０４９１号公報
【特許文献２】特開２００２−４６０７４号公報
【考案の概要】
【考案が解決しようとする課題】
【０００４】
ところが特許文献１の研ぎ装置では、円形回転板を回転させるから、回転させるための駆動源例えば小型モータ等が必要であり、電動式構造としているから手作業による刃先等の研磨はもともと考慮されていない。しかも、円形回転板はそれほど大きくはないから、研磨すべき庖丁の刃先に宛がうとしても狭い範囲での研磨となり、そのため刃先全体の研磨には時間が掛かり、面倒でもある。また、特許文献２の研ぎ具では、やすりシートに刃面を宛がうとしても、その宛がう際の押圧力を大きくするとスポンジ材も大きく窪んで研ぐことができず、逆に押圧力を小さくした場合には十分な研磨作用が得られないから、いずれにしても確実に研磨することはできない。
【０００５】
また、これらの研ぎ装置、研ぎ具のいずれもその研ぎ作業では刃先の一側面のみを研磨するから、両刃形態のものであれば、その片面ずつを交互に研磨しなければならず、面倒でもある。
【０００６】
そこでこの考案は上述したような従来存した諸事情に鑑み案出されたもので、その目的は例えば庖丁などの被研磨物が両刃形態のものでもその刃面の両側面を同時に研磨でき、また庖丁などの被研磨物のみならず、例えば各種の台所用品、日用品等が汚損した場合に研磨するにもその被研磨面に宛がい擦ることで使用でき、更には洗剤を使用しての洗浄作業にも使用可能にした洗浄研磨具を提供することにある。
【課題を解決するための手段】
【０００７】
上述した課題を解決するため、この考案にあっては、後述する考案を実施するための形態における使用符号を付記して説明すると、適宜肉厚の板状を呈する軟弾性発泡樹脂材製の一対の洗浄具体１と、研磨材６が付着されていて、側縁部それぞれに前記洗浄具体１それぞれが連結されている可撓性あるシート状の研磨体５とから成ることを特徴とする。
洗浄具体１はネット材２にて覆うことで構成することができる。
研磨体５は、適宜肉厚の耐水性あるシート状で、その少なくとも一側面には細粒状の研磨材６が塗布、付着されて成ることで構成することができる。
また、研磨体５にて二つ折り状にすることで末広がり状の開放状態とした洗浄具体１を、載置面上で支持する支持台１０と共に使用可能にして構成することができる。
支持台１０は、載置面上に載置可能で、滑動が防止されているベース体１１と、対状の洗浄具体１を末広がりの開放状態にして支持するよう、上方に至るに伴い次第に広がり状となってベース体１１上に固定されている二股状のセット支持体１３とを備えて構成することができる。
【０００８】
以上のように構成されたこの考案に係る洗浄研磨具にあって、研磨材６面を内側にして二つ折りされた研磨体５によって重ね合わせた対状の洗浄具体１相互間に例えば包丁の如き被研磨物Ｃを挟み込むことで、被研磨物Ｃにおける刃先の両側面を同時に研磨でき、またネット材２にて覆ってある軟弾性発泡樹脂材製の洗浄具体１によって所定の物品等を洗浄させる。
また、研磨体５における研磨材６面を外側に配するよう二つ折りすることで、洗浄具体１自体を例えば握持することで研磨体５を適宜な物品面に宛がい、擦ることでこれを研磨させ、洗浄具体１にて洗浄させる。
支持台１０は、これのセット支持体１３内に二つ折り状の洗浄具体１を嵌め入れることで、適当な載置面上で支持台１０を介して上方を開放状態にして支持固定でき、研磨体５の研磨材６による被研磨物Ｃの研磨を行わせる。
【考案の効果】
【０００９】
この考案は以上説明したように構成されているため、例えば庖丁などの被研磨物Ｃが両刃形態のものでもその刃面の両側面を二つ折りした研磨体５にて同時に研磨でき、また庖丁などの被研磨物Ｃのみならず、例えば各種の台所用品、日用品等が汚損した場合に研磨するにもその被研磨面に宛がい擦ることで使用でき、更には洗浄具体１に含浸させた洗剤を使用しての洗浄作業にも使用可能である。
【００１０】
すなわちこれはこの考案において、軟弾性発泡樹脂材製の一対の洗浄具体１と、研磨材６が付着されていて、洗浄具体１それぞれを連結している可撓性あるシート状の研磨体５とから成るからであり、これによって、被研磨物Ｃを研磨したり、被研磨物Ｃのみならず各種物品をも洗浄したりすることができる。
【００１１】
また、一対の洗浄具体１を重ね合わせるようにして二つ折りされる研磨体５にて、被研磨物Ｃを挟み込ませるように研磨することで、被研磨物Ｃの刃先の両側面を同時に研磨でき、しかもこの研磨作業時では、相互に重ね合わせられる軟弾性発泡合成樹脂材製の洗浄具体１にて被研磨物Ｃを保持するから、被研磨物Ｃの刃先等による危険性も未然に防止できる。
【００１２】
支持台１０は、載置面に滑動が防止されてしっかりと載置支持されるベース体１１、二つ折りして上方が末広がり状となって開放されている対状の洗浄具体１を支持固定する二股状のセット支持体１３を備えるから、適当な載置面上に固定することで被研磨物Ｃを研磨する固定台として使用でき、研磨作業を能率的に行える。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す斜視図である。
【図２】同じく例えば庖丁の刃先等を研磨使用しているときの斜視図である。
【図３】同じく他の使用例における斜視図である。
【図４】同じく固定用の支持台と共に使用している例の斜視図である。
【考案を実施するための形態】
【００１５】
以下、図面を参照してこの考案を実施するための一形態を説明すると、図において示される符号１は適宜肉厚の板状を呈する軟弾性発泡樹脂材製の、例えばスポンジ材製の洗浄具体であり、この洗浄具体１は折曲可能な可撓性あるシート状の研磨体５の両側縁部にそれぞれ連結させることによって両側で一対となるよう対状に配置されており、研磨体５が二つ折り状に折曲されることで洗浄具体１それぞれが互いに重ね合わせられるようになっている。
【００１６】
洗浄具体１は、図示のように平面形状において、研磨体５との連結辺部位では長くした長方形状を呈しており、例えば肉厚が１０ｍｍ程度、長辺が１３０ｍｍ程度、短辺が４５ｍｍ程度としてあるも、肉厚、辺長さはこれらに限定されるものではない。また、その平面形状も長方形状に限らず、正方形状、半円形状、楕円形状、三角形状その他であっても良く、その大きさも特に限定されず、手指などで握持できる程度の適当な大きさと形状とを備えていれば良いものとして構成される。
【００１７】
また、図示のようにこの洗浄具体１はネット材２にて覆われており、洗浄具体１を、例えば洗剤を含有させて所定の物品を洗浄するときの洗浄具としての使用が可能なようにしてある。
【００１８】
研磨体５は、適宜肉厚のシート状で、その少なくとも一側面には細粒状の研磨材６が塗布、付着されていて、いわば例えばサンドペーパー状に形成されており、研磨材６によって庖丁などの被研磨物Ｃの刃先等を研磨できるようにしてあって、研磨材６面を内側にして例えば二つ折りした状態の内側面によって刃先の両側面それぞれに宛がわれるようになっている。図示例にあっての研磨体５は、洗浄具体１の平面部分における辺縁部に例えば接着剤等を介して、研磨材６の非付着面としてある帯幅状の両辺縁部分によって接合されることで、対となっている洗浄具体１相互を連結している。
【００１９】
この研磨体５自体は、例えば耐水性ある所定肉厚の可撓性あるシート状基材の片面に研磨材６を付着形成する場合に限らず、表面において刃先などを研磨可能な研磨性金属材によって形成することもでき、例えば複数本で縒り合わせた細線材を網状に編み合わせて形成したものであっても良い。
【００２０】
尚、研磨体５は、洗浄具体１のいずれか一方の平面部の辺縁部に接合される場合に限らず、図示を省略したが側縁面に形成した切込溝内に挿入固定してあっても良く、また、その研磨材６は研磨体５の片面のみならず、両面に付着形成されていても良い。
【００２１】
次にこれの使用の一例を説明すると、図２に示すように例えば研磨体５における研磨材６の付着面を内側にして研磨体５を二つ折りして洗浄具体１相互を重ね合わせるようにし、研磨材６面を例えば庖丁などの被研磨物Ｃの刃先の両面に宛がうようにして適当回数で擦ればよい。また、図３に示すように、図２に示されたのは逆方向に折り曲げることで研磨材６面を外側にして研磨体５部分にて折り曲げて洗浄具体１自体にて重ね合わせ、あるいは洗浄具体１相互を重ね合わせるようにし、研磨材６面を研磨すべき所定の物品面に宛がい擦ればよい。
【００２２】
また、図４には別の実施の形態が示されている。この実施の形態にあっては、洗浄具体１、研磨体５から成る洗浄研磨具自体を適当な支持台１０と共に使用できるようにしたもので、支持台１０は、テーブルその他の適当な載置面上に載置可能で、滑動が防止されているベース体１１と、対状の洗浄具体１を末広がりの開放状態にして支持するよう、上方に至るに伴い次第に広がり状となってベース体１１上に固定されている二股状のセット支持体１３とを備えて成る。
【００２３】
図示にあってのベース体１１は、その底面には研ぎ作業時等のベース体１１自体の位置ずれを阻止するようにした滑り止め用の例えば軟弾性材製のシート状の滑動防止片１２を例えば接着剤等で接合してあり、また、研ぎ作業時における前後方向に沿う包丁等の被研磨物Ｃの往復動によっても簡単には位置ずれを生じさせない程度の重さを備えていることが望ましい。
【００２４】
また、セット支持体１３は、末広がりの開放状態にある洗浄具体１がそのまま嵌め入れてられて支持固定されるように、その前後開口縁部には、セット支持体１３面に対して直立状にした固定片１４が設けられていて、前後の固定片１４相互間で洗浄具体１をしっかりと保持するようになっている。このセット支持体１３自体の開放角度は例えば３０度程度としてあるもこれに限定されず、これの底部に折曲状に位置させた研磨体５の研磨材６にて被研磨物Ｃが研磨されれば足りるのであり、必要あれば、底部における固定片４部分は設けられずに、切除されることもあり得る。
【００２５】
このように構成した支持台１０をテーブル、流し台面その他の適宜な載置面上に載置すると共に、研磨体５部位で二つ折りし、末広がり状に開放されている洗浄具体１をセット支持片１３内に嵌め入れるのであり、こうしておいて、例えば包丁等の被研磨物Ｃにおける刃先等の研磨部位を研磨体５面上で擦れば良いのである。
【符号の説明】
【００２６】
Ｃ…被研磨物
１…洗浄具体                            ２…ネット材
５…研磨体                              ６…研磨材
１０…支持台                            １１…ベース体
１２…滑動防止片                        １３…セット支持体
１４…固定片
【図１】
0003179052.tif 000003
【図２】
0003179052.tif 000004
【図３】
0003179052.tif 000005
【図４】
0003179052.tif 000006